(57)【特許請求の範囲】
【請求項１】
液体香料組成物であって、本質的に；
シクロヘキシリデンフェニルアセトニトリル；ならびに
構成要素Ａ、これはシクロヘキシルサリチラートおよび３−メチル−５−フェニル−ペンタン−１−オールからなる群から選択される１種以上の成分である；ならびに
構成要素Ｂ、これは６−エチル−３−メチル−６−オクテン−１−オール、ジメチルベンジルカルビノール、５，６，７−トリメチル−２，５−オクタジエン−４−オン、フェニルエチル２，２−ジメチルプロパノアート、２−メチルフェニルエチルアルコール、２メチル−５−フェニル−ペンタン−１−オール、２−メチル−４−メチレン−６−フェニル−テトラヒドロ−２Ｈ−ピラン、ジフェニルオキシド、１−ヒドロキシ−２−（１−メチル−１−ヒドロキシエチル）−５−メチルシクロヘキサン、３−メチル−２−フェニルブト−２−エンニトリル、３−エチル−２−フェニルペント−２−エンニトリルまたは（Ｚ）−２−フェニルヘキサ−２−エンニトリル；ベンジルアルコール、１−ヘキサノール、１−ヘプタノール、１−オクタノール、シクロヘキサノール、シクロヘキシルプロパノール、メチルフェニルカルビノール、フェニルエチルアルコールおよびジメチルベンジルカルビノールからなる群から選択される３個より多い炭素原子を含むアルコール；またはグリコールエーテル、からなる群から選択される１種以上の成分である、
からなる前記組成物。
【請求項２】
グリコールエーテルがプロピレングリコール、ジプロピレングリコール、１−メトキシ−２−プロパノールまたは２−（２−メトキシプロポキシ）プロパン−１−オールからなる群から選択される、請求項１に記載の液体香料組成物。
【請求項３】
液体香料組成物の量が、シクロヘキシリデンフェニルアセトニトリルの４０重量％〜９５重量％である、請求項１に記載の液体香料組成物。
【請求項４】
構成要素Ａの量が液体香料組成物の５重量％〜６０重量％の間である、請求項１に記載の液体香料組成物。
【請求項５】
構成要素Ｂが液体香料組成物の５重量％〜２５重量％の間で存在する、請求項１に記載の液体香料組成物。
【請求項６】
液体香料組成物が、１週間〜１か月の間−２０℃〜５０℃の温度範囲にわたり相分離しない、請求項１に記載の液体香料組成物。
【請求項７】
請求項１に記載の液体香料組成物を含む貯蔵液。
【請求項８】
請求項１に記載の液体香料組成物を含むパーソナルケア製品またはハウスホールドケア製品。
【請求項９】
シクロヘキシリデンフェニルアセトニトリルを−２０℃〜５０℃で１か月までの期間液体形状の状態にする方法であって、それを請求項１において定義される構成要素Ａおよび構成要素Ｂと混合し、シクロヘキシリデンフェニルアセトニトリルおよび構成要素Ａおよび構成要素Ｂからなる液体混合物を形成する工程を含む、前記方法。
【発明の詳細な説明】
【技術分野】
【０００１】
本発明は、シクロヘキシリデンフェニルアセトニトリルを含有する貯蔵液、および同じものを含む消費者製品に関する。
【背景技術】
【０００２】
シクロヘキシリデンフェニルアセトニトリル（より一般に名称ＰＥＯＮＩＬＥ（商標）により知られている）は高度に価値ある香料成分であり、花のバラ様、グリーン様、メタリック様およびゼラニウムを思い出させるものとして特徴づけられる匂いを有する。ＰＥＯＮＩＬＥ（商標）は力強く、比較的非揮発性であり、ほぼすべての媒体において非常に安定である。それは湿ったおよび乾燥した洗濯物上で非常に高い持続性を有し、機能的な香水において体積およびテナシティ（tenacity）を増加させるのを助ける。したがって、それは洗練された香料から化粧品、パーソナルケアおよびハウスホールドケア製品にかけての消費者製品の全ての方法において広く用いられている。分子および匂い物質としてのその使用はＵＳ６，０６９，１２５において記載されている。
【０００３】
この分子のかなりの商業的な成功にかかわらず、我々はそれを他の香水成分と混ぜることが常に簡単な事項であるわけではないということを見出した。特に、出願人は低温での貯蔵のある条件下でシクロヘキシリデンフェニルアセトニトリルが結晶化するだろうことを見出した。特に、結晶化は約２８℃未満の温度で起こり、特に不規則なまとまりの表面または固体不純物に接触するとき生じ得る。結晶化は嵩高い材料の非常に急速な固化を導き、材料を他の成分と混ぜることを望む調合者が利用できるただ一つの救済策は、それが貯蔵される容器を温めることである。これは処理時間および費用を増大し、加熱工程が注意深く行われないとき、望まない焦げたオフノートの形成を導き得る。
【０００４】
具体的な標的物質の融点はそれを第２の物質と混合することにより下げることができ、第２の物質はｉ）低融点を有し、またはｉｉ）標的物質と共融混合物を形成する。しかしながら、標的物質の融点を下げることができる多くの成分があってよいのに対し、標的物質および第２の物質はどちらかが液体状態を必要とする全温度範囲にわたり熱力学的に互換性がなければならない（すなわち、それらは相分離するべきではない）。なおさらに、それらの液体−固体相分離温度未満で熱力学的に互換性がある液体混合物は、不純物が不注意にまたは故意に液体混合物に添加された場合、または液体混合物が結晶核部位を形成できる表面に接触する場合でさえそのままでなければならない。
【０００５】
香水類の分野におけるさらなる要件は、標的物質および第２の物質の混合物が香水類の見地から嗅覚的に許容可能でなければならないということであり、すなわち、物質の混合物が純粋な標的物質と実質的に類似の匂いの傾向および匂いの強さを有するべきであるということである。
【０００６】
前述の要件を満たす液体組成物を提供するためにシクロヘキシリデンフェニルアセトニトリルと組み合わせるために適当な成分を発見することは簡単ではない。例えば、当業者はシクロヘキシリデンフェニルアセトニトリルと構造的に非常に似ている香料成分ＰＥＴＡＬＩＡ（商標）が、低温に下げても液体のままであり、またシクロヘキシリデンフェニルアセトニトリルとＰＥＴＡＬＩＡ（商標）の類似した嗅覚傾向のために非常に有利であろう、熱力学的に互換性の共融混合物を生成するかもしれないと予測するかもしれない。しかしながら、これは事実ではないことが見出された。
【０００７】
当業者はまた、液体香料材料および溶媒などの液体有機物質の広い選択が、広い温度範囲にわたりシクロヘキシリデンフェニルアセトニトリルと熱力学的に互換性の２成分の混合物を製造するかもしれないと予測するかもしれない。しかしながら、これはまた事実ではないことが見出された。特に、フェニルエチルアルコール、フェノキシエチルアルコール、ＲＯＳＥ  ＯＸＩＤＥ（商標）、ＳＵＰＥＲ  ＭＵＧＵＥＴ（商標）（６−エチル−３−メチル−６−オクテン−１−オール）、ジメチルベンジルカルビノール、ＰＯＭＡＲＯＳＥ（商標）（５，６，７−トリメチル−２，５−オクタジエン−４−オン）、ＰＩＶＡＲＯＳＥ（商標）（フェニルエチル２，２−ジメチルプロパノアート）、ＰＥＯＭＯＳＡ（商標）（２−メチルフェニルエチルアルコール）、ＲＯＳＡＰＨＥＮ（商標）（２メチル−５−フェニル−ペンタン−１−オール）ＰＥＬＡＲＧＥＮＥ（商標）（２−メチル−４−メチレン−６−フェニル−テトラヒドロ−２Ｈ−ピラン）、ジフェニルオキシド、ＧＥＲＡＮＯＤＹＬＥ（商標）（１−ヒドロキシ−２−（１−メチル−１−ヒドロキシエチル）−５−メチルシクロヘキサン）、３−メチル−２−フェニルブト−２−エンニトリル、３−エチル−２−フェニルペント−２−エンニトリルまたは（Ｚ）−２−フェニルヘキサ−２−エンニトリルなどのシクロヘキシリデンフェニルアセトニトリルと類似した嗅覚傾向を有する他の香水成分はまた、シクロヘキシリデンフェニルアセトニトリルとの熱力学的に互換性の液体２成分組成物を形成することができなかった。なおさらに、エタノールおよびイソプロピルアルコールなどの低級アルコール；およびプロピレングリコール、ジプロピレングリコール、ＤＯＷＡＮＯＬ（商標）ＰＭまたはＤＯＷＡＮＯＬ（商標）ＤＰＭなどのグリコールエーテルはまた、互換性の２成分混合物において、シクロヘキシリデンフェニルアセトニトリルと混ぜるのに適した材料ではなかった。
【発明の概要】
【０００８】
本願は、第１の態様において、本質的に以下からなる液体香料組成物を提供することにより、シクロヘキシリデンフェニルアセトニトリルの取り扱いおよび貯蔵に関する潜在的な問題に対処し、それらを克服する：
シクロヘキシリデンフェニルアセトニトリル；ならびに
構成要素Ａ、これはシクロヘキシルサリチラート、ＭＥＦＲＯＳＯＬ（商標）（３−メチル−５−フェニル−ペンタン−１−オール）、ＨＥＤＩＯＮＥ（商標）（メチル２−（３−オキソ−２−ペンチルシクロペンチル）アセタート）、ジエチルフタラート、イソプロピルミリスタート、アミルサリチラート、イソ−アミルサリチラート、ベンジルサリチラート、イソ−ボルニルサリチラート、シス−３ヘキセニルサリチラート、エチルサリチラート、イソ−ブチルサリチラート、メチルサリチラート、フェニルエチルサリチラートおよびＫＡＲＭＡＦＬＯＲ（（Ｚ）−ヘプト−４−エン−２−イルサリチラート）からなる群から選択される１種以上の成分である；
【０００９】
ならびに任意に
構成要素Ｂ、これはＲＯＳＥ  ＯＸＩＤＥ（商標）、ＳＵＰＥＲ  ＭＵＧＵＥＴ（商標）（６−エチル−３−メチル−６−オクテン−１−オール）、ジメチルベンジルカルビノール、ＰＯＭＡＲＯＳＥ（商標）（５，６，７−トリメチル−２，５−オクタジエン−４−オン）、ＰＩＶＡＲＯＳＥ（商標）（フェニルエチル２，２−ジメチルプロパノアート）、ＰＥＯＭＯＳＡ（商標）（２−メチルフェニルエチルアルコール）、ＲＯＳＡＰＨＥＮ（商標）（２メチル−５−フェニル−ペンタン−１−オール）ＰＥＬＡＲＧＥＮＥ（商標）（２−メチル−４−メチレン−６−フェニル−テトラヒドロ−２Ｈ−ピラン）、ジフェニルオキシド、ＧＥＲＡＮＯＤＹＬＥ（商標）（１−ヒドロキシ−２−（１−メチル−１−ヒドロキシエチル）−５−メチルシクロヘキサン）、３−メチル−２−フェニルブト−２−エンニトリル、３−エチル−２−フェニルペント−２−エンニトリルまたは（Ｚ）−２−フェニルヘキサ−２−エンニトリル；ベンジルアルコール、１−ヘキサノール、１−ヘプタノール、１−オクタノール、シクロヘキサノール、シクロヘキシルプロパノール、メチルフェニルカルビノール、フェニルエチルアルコールおよびジメチルベンジルカルビノールからなる群から選択される３個より多い炭素原子を含むアルコール；グリコールエーテルの１種以上である。
【００１０】
本発明の特定の態様において、液体香料組成物は本質的に；
シクロヘキシリデンフェニルアセトニトリル；ならびに
構成要素Ａ、これはシクロヘキシルサリチラート、ＭＥＦＲＯＳＯＬ（商標）（３−メチル−５−フェニル−ペンタン−１−オール）、ＨＥＤＩＯＮＥ（商標）（メチル２−（３−オキソ−２−ペンチルシクロペンチル）アセタート）、ジエチルフタラート、イソプロピルミリスタート、アミルサリチラート、イソ−アミルサリチラート、ベンジルサリチラート、イソ−ボルニルサリチラート、シス−３ヘキセニルサリチラート、エチルサリチラート、イソ−ブチルサリチラート、メチルサリチラートおよびフェニルエチルサリチラートおよびＫＡＲＭＡＦＬＯＲ（（Ｚ）−ヘプト−４−エン−２−イルサリチラート）からなる群から選択される１種以上の成分である、
からなる。
【００１１】
本発明のさらなるもう１つの態様において、液体香料組成物は本質的に：
シクロヘキシリデンフェニルアセトニトリル；ならびに
構成要素Ａ、これはシクロヘキシルサリチラート、ベンジルサリチラート、イソ−ボルニルサリチラート、およびフェニルエチルサリチラートからなる群から選択されるサリチラートである、からなる。
【００１２】
本発明のなおもう１つの態様において、液体香料組成物は、本質的に；
シクロヘキシリデンフェニルアセトニトリル；ならびに
構成要素Ａ、これはシクロヘキシルサリチラート、ＭＥＦＲＯＳＯＬ（商標）（３−メチル−５−フェニル−ペンタン−１−オール）、ＨＥＤＩＯＮＥ（商標）（メチル２−（３−オキソ−２−ペンチルシクロペンチル）アセタート）、ジエチルフタラート、イソプロピルミリスタート、アミルサリチラート、イソ−アミルサリチラート、ベンジルサリチラート、イソ−ボルニルサリチラート、シス−３ヘキセニルサリチラート、エチルサリチラート、イソ−ブチルサリチラート、メチルサリチラート、フェニルエチルサリチラートおよびＫＡＲＭＡＦＬＯＲ（（Ｚ）−ヘプト−４−エン−２−イルサリチラート）からなる群から選択される成分である；
【００１３】
ならびに
構成要素Ｂ、これは３−メチル−５−フェニルペンタン−１−オール（ＭＥＦＲＯＳＯＬ（商標））、ＲＯＳＥ  ＯＸＩＤＥ（商標）、ＳＵＰＥＲ  ＭＵＧＵＥＴ（商標）（６−エチル−３−メチル−６−オクテン−１−オール）、ジメチルベンジルカルビノール、ＰＯＭＡＲＯＳＥ（商標）（５，６，７−トリメチル−２，５−オクタジエン−４−オン）、ＰＩＶＡＲＯＳＥ（商標）（フェニルエチル２，２−ジメチルプロパノアート）、ＰＥＯＭＯＳＡ（商標）（２−メチルフェニルエチルアルコール）、ＲＯＳＡＰＨＥＮ（商標）（２メチル−５−フェニル−ペンタン−１−オール）ＰＥＬＡＲＧＥＮＥ（商標）（２−メチル−４−メチレン−６−フェニル−テトラヒドロ−２Ｈ−ピラン）、ジフェニルオキシド、ＧＥＲＡＮＯＤＹＬＥ（商標）（１−ヒドロキシ−２−（１−メチル−１−ヒドロキシエチル）−５−メチルシクロヘキサン）、３−メチル−２−フェニルブト−２−エンニトリル、３−エチル−２−フェニルペント−２−エンニトリルまたは（Ｚ）−２−フェニルヘキサ−２−エンニトリル；ベンジルアルコール、１−ヘキサノール、１−ヘプタノール、１−オクタノール、シクロヘキサノール、シクロヘキシルプロパノール、メチルフェニルカルビノール、フェニルエチルアルコールおよびジメチルベンジルカルビノールからなる群から選択される３個より多い炭素原子を含むアルコール；またはグリコールエーテルの１種以上である、
からなる。
【００１４】
本発明のさらなるもう１つの態様において、液体香料組成物は本質的に：
シクロヘキシリデンフェニルアセトニトリル；ならびに
構成要素Ａ、これはシクロヘキシルサリチラート、ＭＥＦＲＯＳＯＬ（商標）（３−メチル−５−フェニル−ペンタン−１−オール）、ＨＥＤＩＯＮＥ（商標）（メチル２−（３−オキソ−２−ペンチルシクロペンチル）アセタート）、ジエチルフタラート、イソプロピルミリスタート、アミルサリチラート、イソ−アミルサリチラート、ベンジルサリチラート、イソ−ボルニルサリチラート、シス−３ヘキセニルサリチラート、エチルサリチラート、イソ−ブチルサリチラート、メチルサリチラート、フェニルエチルサリチラートおよびＫＡＲＭＡＦＬＯＲ（（Ｚ）−ヘプト−４−エン−２−イルサリチラート）からなる群から選択される成分である；
【００１５】
ならびに
構成要素Ｂ、これは３−メチル−５−フェニルペンタン−１−オール（ＭＥＦＲＯＳＯＬ（商標））、ＲＯＳＥ  ＯＸＩＤＥ（商標）、ＳＵＰＥＲ  ＭＵＧＵＥＴ（商標）（６−エチル−３−メチル−６−オクテン−１−オール）、ジメチルベンジルカルビノール、ＰＯＭＡＲＯＳＥ（商標）（５，６，７−トリメチル−２，５−オクタジエン−４−オン）、ＰＩＶＡＲＯＳＥ（商標）（フェニルエチル２，２−ジメチルプロパノアート）、ＰＥＯＭＯＳＡ（商標）（２−メチルフェニルエチルアルコール）、ＲＯＳＡＰＨＥＮ（商標）（２メチル−５−フェニル−ペンタン−１−オール）ＰＥＬＡＲＧＥＮＥ（商標）（２−メチル−４−メチレン−６−フェニル−テトラヒドロ−２Ｈ−ピラン）、ジフェニルオキシド、ＧＥＲＡＮＯＤＹＬＥ（商標）（１−ヒドロキシ−２−（１−メチル−１−ヒドロキシエチル）−５−メチルシクロヘキサン）、３−メチル−２−フェニルブト−２−エンニトリル、３−エチル−２−フェニルペント−２−エンニトリルまたは（Ｚ）−２−フェニルヘキサ−２−エンニトリル；ベンジルアルコール、１−ヘキサノール、１−ヘプタノール、１−オクタノール、シクロヘキサノール、シクロヘキシルプロパノール、メチルフェニルカルビノール、フェニルエチルアルコールおよびジメチルベンジルカルビノールからなる群から選択される３個より多い炭素原子を含むアルコール；またはグリコールエーテルである、
からなる。
【００１６】
本明細書において用いられるように、用語「グリコールエーテル」は、プロピレングリコール、ジプロピレングリコール、１−メトキシ−２−プロパノールＤＯＷＡＮＯＬ（商標）ＰＭまたは２−（２−メトキシプロポキシ）プロパン−１−オールＤＯＷＡＮＯＬ（商標）ＤＰＭからなる群から選択される化合物を含む。
【００１７】
本発明の特定の態様において、液体香料組成物は本質的にシクロヘキシリデンフェニルアセトニトリル；およびシクロヘキシルサリチラートまたはベンジルサリチラートまたはイソ−ボルニルサリチラートまたはフェニルエチルサリチラートおよび任意に３−メチル−５−フェニルペンタン−１−オール（ＭＥＦＲＯＳＯＬ（商標））からなる。
【００１８】
本発明の特定の態様において、液体香料組成物は本質的にシクロヘキシリデンフェニルアセトニトリル；およびシクロヘキシルサリチラートまたはベンジルサリチラートまたはイソ−ボルニルサリチラートまたはシクロヘキシルサリチラートまたはフェニルエチルサリチラート；および任意にベンジルアルコールまたは１−ヘキサノール、１−ヘプタノールまたは１−オクタノールまたはシクロヘキサノールまたはメチルフェニルカルビノールまたはフェニルエチルアルコールまたはジメチルベンジルカルビノールからなる。
【００１９】
本発明の特定の態様において、液体香料組成物は本質的にシクロヘキシリデンフェニルアセトニトリル；およびシクロヘキシルサリチラートまたはベンジルサリチラートまたはイソ−ボルニルサリチラートまたはフェニルエチルサリチラート；および任意にグリコールエーテル、なおさらに特定的に、ここでグリコールエーテルはプロピレングリコールまたはジプロピレングリコールまたは１−メトキシ−２−プロパノールＤＯＷＡＮＯＬ（商標）ＰＭまたは２−（２−メトキシプロポキシ）プロパン−１−オールＤＯＷＡＮＯＬ（商標）ＤＰＭである、からなる。
【００２０】
本発明の特定の態様において、液体香料組成物は本質的に：
シクロヘキシリデンフェニルアセトニトリル；
ならびに構成要素Ａ、これはシクロヘキシルサリチラート、アミルサリチラート、イソ−アミルサリチラート、ベンジルサリチラート、イソ−ボルニルサリチラート、シス−３ヘキセニルサリチラート、エチルサリチラート、イソ−ブチルサリチラート、メチルサリチラート、フェニルエチルサリチラートおよびＫＡＲＭＡＦＬＯＲ（（Ｚ）−ヘプト−４−エン−２−イルサリチラート）からなる群から選択されるサリチラートである；
【００２１】
ならびにＭＥＦＲＯＳＯＬ（商標）（３−メチル−５−フェニル−ペンタン−１−オール）、ＨＥＤＩＯＮＥ（商標）（メチル２−（３−オキソ−２−ペンチルシクロペンチル）アセタート）、ジエチルフタラート、イソプロピルミリスタート、ＲＯＳＥ  ＯＸＩＤＥ（商標）、またはＳＵＰＥＲ  ＭＵＧＵＥＴ（商標）（６−エチル−３−メチル−６−オクテン−１−オール）、またはジメチルベンジルカルビノール、またはＰＯＭＡＲＯＳＥ（商標）（５，６，７−トリメチル−２，５−オクタジエン−４−オン）、またはＰＩＶＡＲＯＳＥ（商標）（フェニルエチル２，２−ジメチルプロパノアート）、またはＰＥＯＭＯＳＡ（商標）（２−メチルフェニルエチルアルコール）、またはＲＯＳＡＰＨＥＮ（商標）（２メチル−５−フェニル−ペンタン−１−オール）、またはＰＥＬＡＲＧＥＮＥ（商標）（２−メチル−４−メチレン−６−フェニル−テトラヒドロ−２Ｈ−ピラン）、またはジフェニルオキシド、またはＧＥＲＡＮＯＤＹＬＥ（商標）（１−ヒドロキシ−２−（１−メチル−１−ヒドロキシエチル）−５−メチルシクロヘキサン）、または３−メチル−２−フェニルブト−２−エンニトリル、または３−エチル−２−フェニルペント−２−エンニトリルまたは（Ｚ）−２−フェニルヘキサ−２−エンニトリルの１種である、
からなる。
【００２２】
慣用名および商品名が本明細書において香水成分を記載するために用いられる場合には、熟練した香水製造者はこれらが香水製造者により一般に用いられる名称であることを理解するだろう。しかしながら、熟練した香水製造者はまた、これらの成分がまた他の自明な同義語により、ＣＡＳ登録番号により、またはＩＵＰＡＣ命名などのより正式な学術名によっても知られていてもよい。さらに熟練した香水製造者は、これらの同義語ならびにより正式な命名に精通しているだろうし、または少なくともＴｈｅ  Ｇｏｏｄ  Ｓｃｅｎｔ  Ｃｏｍｐａｎｙのウェブサイトなどの、香料製造者のパレットに含有される香料成分の全ての種類のための自明な名称、登録番号およびより正式な学術名間の関係の包括的なリストを含有する標準的な参考文献を知っているだろう。
【００２３】
本発明の液体香料組成物において、存在するシクロヘキシリデンフェニルアセトニトリルの量は、組成物の総重量に対して約４０〜約９５重量％であってよい。
【００２４】
本発明の液体香料組成物において、成分Ａの量は、液体香料組成物の約５〜約６０重量％の間、より特定的に１０〜６０重量％、なおより特定的に組成物の２０〜６０重量％であり、なおより特定的に組成物の２５〜５５重量％およびなおより特定的に４５〜５５重量％の量で存在する。
【００２５】
本発明の液体香料組成物において、成分Ｂの量は、液体香料組成物の約５〜約２５重量％の間で存在する。
本発明の特定の液体香料組成物は、シクロヘキシリデンフェニルアセトニトリル（４０〜９５重量％、およびより特定的に４５〜５５重量％）；およびシクロヘキシルサリチラート（２０〜６０重量％、およびより特定的に４５〜５５重量％）からなる。
【００２６】
本発明のなおもう１つの特定的な液体香料組成物は、シクロヘキシリデンフェニルアセトニトリル（４０〜９５重量％、およびより特定的に４５〜５５重量％）；ならびにシクロヘキシルサリチラート（２０〜６０重量％、およびより特定的に４５〜５５重量％）；ならびにベンジルアルコール（５〜２５重量％、およびより特定的に１０重量％）からなる。
【００２７】
本発明のなおもう１つの特定の液体香料組成物は、シクロヘキシリデンフェニルアセトニトリル（４０〜９５重量％、およびより特定的に４５〜５５重量％）；ならびにシクロヘキシルサリチラート（２０〜６０重量％、およびより特定的に４５〜５５重量％）；ならびに
３−メチル−５−フェニルペンタン−１−オール（５〜２０重量％、およびより特定的に１０重量％）からなる。
【００２８】
本発明の液体香料組成物の表している構成要素として本明細書上記に列挙されている成分は、好ましくは前記組成物の総量を表す。しかしながら、前記液体香料組成物は、少ない方の量の不純物または香水調合において一般に見出される他の成分を含有してもよいということが可能である。不純物または他の成分が存在する限りでは、好ましくはそれらを液体香料組成物の約０．０００１〜約５重量％より多く調合するべきではない。
【００２９】
本発明の液体香料組成物は流動性であり、注入可能でありおよび貯蔵、輸送および使用の全ての温度条件にわたり香水類において一般に用いられる他の成分と混合可能である。液体香料組成物は裸眼での観察で、無固体または結晶化物、および特に無固体または結晶のシクロヘキシリデンフェニルアセトニトリルを含むべきである。本発明の特定の態様において、液体香料組成物は安定であり、すなわち、それらは−２０℃〜５０℃、より特定的に−１０℃〜５０℃、およびなお特定的に−５℃〜５０℃の温度範囲にわたり相分離しない。
【００３０】
本発明の特定の態様において、液体香料組成物は安定であり、すなわち、それらは１週間〜１か月の期間容器において貯蔵したとき、−２０℃〜５０℃、より特定的に−１０℃〜５０℃、およびなおより特定的に−５℃〜５０℃の温度範囲にわたり相分離しない。
【００３１】
本発明の特定の態様において、液体香料組成物は、２５〜２５０ｋｇの量において安定であり、すなわち、それらは１週間〜１か月の期間容器において貯蔵したとき、−２０℃〜５０℃、より特定的に−１０℃〜５０℃、およびなおより特定的に−５℃〜５０℃の温度範囲にわたり相分離しない。
【００３２】
本発明の特定の態様において、本明細書において上で定義されるような液体香料組成物は、貯蔵液の形態におけるものである。
本発明の貯蔵液は本明細書において定義されたように液体香料組成物であり、それは他の香水類成分に希釈され香料組成物を形成し、それは同様に消費者製品を香りで満たすために用いられることができる。
【００３３】
本発明のより特定的な態様において、貯蔵液を貯蔵液の２５〜２５０ｌを含有する容器において提供する。
本明細書において定義される液体香料組成物は香料組成物における香料成分として有用であり、それは同様にパーソナルおよびハウスホールドケア製品の全ての方法で香りを満たすために用いられることができる。
【００３４】
液体香料組成物に加えて、香料組成物は、一般に技術分野において用いられる他の香水成分、溶媒、担体材料および他の補助剤を含有してもよい。かかる成分は、“perfume and flavor materials of natural origin”, S. Arctander, Ed. Elizabeth, N.J. 1960；“Perfume and Flavor Chemicals”, S. Arctander, Ed. Vol I and II, Allured Publishing Corporation, Carol Stream, USA, 1994；および“International Cosmetic Ingredient Dictionary” 6th Ed., the cosmetic, toiletry and fragrance association, Inc. Washington 1995において記載されている。
【００３５】
代替的に、液体香料組成物を、パーソナルまたはハウスホールドケア製品において唯一の香料成分として用いてもよい。
【００３６】
本発明による液体香料組成物は、香料組成物における成分の形態をとってもよい。この点において、液体香料組成物は実質上、現在シクロヘキシリデンフェニルアセトニトリル（ＰＥＯＮＩＬＥ（商標））を使用している調合者により用いられているものと、類似の量において用いられてもよい。特に、液体香料組成物は同じものを含有する香料組成物の重量に基づき、０．２〜２０重量％の量において用いられてもよい。消費者製品は、限定されないが、特に、ハウスホールドおよびパーソナルケア製品を含み、固体または液体洗剤および布地柔軟剤ならびに香水類、すなわち香水、コロンまたはアフターシェーブローション、香水入り石鹸、シャワーまたは入浴剤、ムース、オイルまたはゲル、シャンプー、ボディ−ケア製品、脱臭剤または発汗抑制剤、空気清浄機およびまた化粧調合品などの衛生製品またはヘアケア製品を含む。様々な表面を皿洗いするためのまたは洗濯するための、例えば織物、皿または硬い表面処理向けの洗剤組成物または洗濯製品などの適用を意図する洗剤として、それらは家庭的または産業的な使用のいずれかを意図する。他の香料付きの物品は布地の芳香剤、アイロンの水、紙、ティッシュまたは漂白剤を含む。
【００３７】
本発明のもう１つの態様において、それを上記本明細書において定義したような構成要素Ａおよび／または構成要素Ｂと混合し、シクロヘキシリデンフェニルアセトニトリルおよび構成要素Ａおよび／または構成要素Ｂからなる液体混合物を形成する工程を含み、１か月までの期間、−２０℃〜５０℃、より特定的に−１０℃〜５０℃、およびなおより特定的に−５℃〜５０℃の温度でシクロヘキシリデンフェニルアセトニトリルを液体の形態においておく方法を提供する。
【発明を実施するための形態】
【００３８】
本発明およびその利点をさらに説明するために、以下の例を提供する。
例１
試験サンプルを、シクロヘキシリデンフェニルアセトニトリルを様々な量の添加物とＣｈｅｍｓｐｅｅｄ社の混合ロボットを用いて混合することにより調製した。試験サンプルは２５ｍｌの大きさを有し、視覚的に調べる前に５℃で一週間貯蔵した。
これらの条件下明白に液体のままであるサンプルに、スパチュラ先端で固体シクロヘキシリデンフェニルアセトニトリルの種を入れ、再度５℃で１週間貯蔵した。
【００３９】
最後に、再び視覚的な調査に付される前に、これらの条件下で明白に液体のままであるそれらのサンプルを、１週間マイナス２０℃の温度に置いた。
シクロヘキシリデンフェニルアセトニトリルおよびシクロヘキシルサリチラート（５０／５０重量％）の２成分混合物は、全ての試験条件下で液体のままであった。
【００４０】
類似の結果を、シクロヘキシリデンフェニルアセトニトリル、シクロヘキシルサリチラートおよびベンジルアルコールの３成分の混合物を用いて達成した。
類似の結果をまた、シクロヘキシリデンフェニルアセトニトリル、シクロヘキシルサリチラートおよび３−メチル−５−フェニルペンタン−１−オールの３成分の混合物を用いて観察した。
【００４１】
５℃で１週間の貯蔵後に調べたとき、シクロヘキシリデンフェニルアセトニトリルおよびＰＥＴＡＬＩＡ（商標）の混合物は結晶化した。
シクロヘキシリデンフェニルアセトニトリル、フェニルエチルアルコールおよびシクロヘキサノールの３成分の混合物は１週間後の調査まで液体であったが種を入れさらに１週間貯蔵の後、それは結晶化した。類似の結果はシクロヘキシリデンフェニルアセトニトリル、およびイソ−プロピルアルコールの２成分混合物を用いて観察された。